【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
少なくとも1つの親水性単位ブロックおよび少なくとも1つの疎水性単位ブロックを有する両親媒性ブロックコポリマーを含んで成る、インプラントを生物組織に付着させる被覆組成物であって、該コポリマーが、該少なくとも1つの疎水ブロックがシロキサン単位を含有することを特徴とする組成物。
【請求項２】
前記シロキサン単位が、式：
【化１】
2008523941.tif 000001
［式中、
R1、R2、R3およびR4は独立して、C1〜C6アルキルまたはアリールであり；
R5およびR6は、フルオロアルキルまたはC1〜6アルキルであり；
lは、0〜0.95のモル分率範囲であり；
mは、0〜0.7のモル分率範囲であり；
nは、0〜0.65のモル分率範囲である。］
示されるコポリマーを含んで成ることを特徴とする請求項1に記載の組成物。
【請求項３】
前記疎水性コポリマーがターポリマーであって、該ターポリマーにおいて、R1、R2およびR6がメチルであり、R3およびR4がフェニルであり、R5がトリフルオロプロピルであることを特徴とする請求項2に記載の組成物。
【請求項４】
ターポリマーが末端アミノ基を有することを特徴とする請求項3に記載の組成物。
【請求項５】
前記少なくとも1つの親水性単位ブロックが、ポリ(ビニルアルコール)、ポリ(エチレングリコール)、ポリ(ヒドロキシエチルメタクリレート)、ポリアクリルアミド、ポリ(N-ビニル-ピロリドン)、ポリアクリル酸、ポリ(メタクリル酸)、ポリ(無水マレイン酸)およびポリマレイン酸から成る群から選択されるポリマーを含んで成ることを特徴とする請求項1に記載の組成物。
【請求項６】
前記少なくとも1つの親水性単位ブロックが、ポリ(エチレングリコール)であることを特徴とする請求項5に記載の組成物。
【請求項７】
前記少なくとも1つの親水ブロックが、末端または側方官能基を含んで成ることを特徴とする請求項1に記載の組成物。
【請求項８】
前記末端基または側基が、水安定性であり、かつ、求核基、好ましくはアミノ基と反応できる官能基から選択される請求項7に記載の組成物。
【請求項９】
前記末端または側方官能基が、イソシアネート、イソチオシアネート、アクリレート、マレエート、N-ヒドロキシスクシンイミドエステルおよびシアノアクリレートから成る群から選択される請求項7に記載の組成物。
【請求項１０】
前記末端官能基がイソチオシアネートから選択される請求項9に記載の組成物。
【請求項１１】
前記少なくとも1つの親水ブロックが、構造：
【化２】
2008523941.tif 000002
［式中、Rは(CH2-CH2-O)aであり、ここで、aは1〜100,000である。］
を有する先駆物質から形成される請求項1に記載の組成物。
【請求項１２】
前記両親媒性ブロックコポリマーが、式：
【化３】
2008523941.tif 000003
［式中、
ABCは、
【化４】
2008523941.tif 000004
であり；
Dは、
【化５】
2008523941.tif 000005
であり；
ここで、lは、1〜10であり；mは、1〜20であり；nは、1〜100であり；fは、1〜40である。］
で示されるイソチオシアネート末端ポリ(エチレングリコール)-b-ポリシロキサンである請求項1に記載の組成物。
【請求項１３】
眼用組成物であることを特徴とする請求項1に記載の組成物。
【請求項１４】
水性乳濁液であることを特徴とする請求項1に記載の組成物。
【請求項１５】
少なくとも１つの親水性単位ブロックおよび少なくとも1つの疎水性単位ブロックを含んで成る両親媒性ブロックコポリマーであって、該少なくとも1つの疎水ブロックがシロキサン単位を含有し、該少なくとも1つの親水ブロックが、組織表面の求核基と反応できる末端または側方官能基を含んで成ることを特徴とする両親媒性ブロックコポリマー。
【請求項１６】
前記シロキサン単位が、式：
【化６】
2008523941.tif 000006
［式中、
R1、R2、R3およびR4は、独立して、C1〜C6アルキルまたはアリールであり；
R5およびR6は、フルオロアルキルまたはC1〜6アルキルであり；
lは、0〜0.95のモル分率範囲であり；
mは、0〜0.7のモル分率範囲であり；
nは、0〜0.65のモル分率範囲である。］
で示されるコポリマーを含んで成ることを特徴とする請求項15に記載の両親媒性ブロックコポリマー。
【請求項１７】
前記疎水性コポリマーがターポリマーであって、該ターポリマーにおいて、R1、R2およびR6がメチルであり、R3およびR4がフェニルであり、R5がトリフルオロプロピルであることを特徴とする請求項16に記載の両親媒性ブロックコポリマー。
【請求項１８】
ターポリマーが末端アミノ基を有することを特徴とする請求項17に記載の両親媒性ブロックコポリマー。
【請求項１９】
前記少なくとも1つの親水性単位ブロックが、ポリ(ビニルアルコール)、ポリ(エチレングリコール)、ポリ(ヒドロキシエチルメタクリレート)、ポリアクリルアミド、ポリ(N-ビニル-ピロリドン)、ポリアクリル酸、ポリ(メタクリル酸)、ポリ(無水マレイン酸)およびポリマレイン酸から成る群から選択されるポリマーを含んで成ることを特徴とする請求項15に記載の両親媒性ブロックコポリマー。
【請求項２０】
前記少なくとも1つの親水性単位ブロックが、ポリ(エチレングリコール)であることを特徴とする請求項19に記載の両親媒性ブロックコポリマー。
【請求項２１】
前記末端基または側基が、水安定性であり、かつ、アミノ基と反応できる官能基から選択される請求項15に記載の両親媒性ブロックコポリマー。
【請求項２２】
前記末端または側方官能基が、イソシアネート、イソチオシアネート、アクリレート、マレエート、N-ヒドロキシスクシンイミドエステルおよびシアノアクリレートから成る群から選択される請求21に記載の両親媒性ブロックコポリマー。
【請求項２３】
前記末端官能基がイソチオシアネートから選択される請求項22に記載の両親媒性ブロックコポリマー。
【請求項２４】
前記少なくとも1つの親水ブロックが、構造：
【化７】
2008523941.tif 000007
［式中、Rは(CH2-CH2-O)aであり、ここで、aは1〜100,000である。］
を有する先駆物質から形成される請求項15に記載の両親媒性ブロックコポリマー。
【請求項２５】
前記両親媒性ブロックコポリマーが、式：
【化８】
2008523941.tif 000008
［式中、
ABCは、
【化９】
2008523941.tif 000009
であり；
Dは、
【化１０】
2008523941.tif 000010
であり；
ここで、lは、1〜10であり；mは、1〜20であり；nは、1〜100であり；fは、1〜40である。］
で示されるイソチオシアネート末端ポリ(エチレングリコール)-b-ポリシロキサンである請求項15に記載の両親媒性ブロックコポリマー。
【請求項２６】
少なくとも1つの親水性単位ブロックおよび少なくとも1つの疎水性単位ブロックを有する両親媒性ブロックコポリマーを含んで成る被覆組成物で少なくとも部分的に被覆された眼用レンズであって、該少なくとも1つの疎水ブロックがシロキサン単位を含有することを特徴とする眼用レンズ。
【請求項２７】
眼内レンズである請求項26に記載の眼用レンズ。
【請求項２８】
後側が前記被覆組成物で被覆されている請求項27に記載の眼用レンズ。
【請求項２９】
円環レンズを含んで成る請求項27に記載の眼用レンズ。